(57)【要約】【課題】脱気孔を介してヘッドスペースに入り込む湿気による粉状食品の品質低下を防ぐことができる粉状食品用包装袋を提供する。【解決手段】ラミネートフィルム包材により形成された一端開口の包装袋本体２と、この包装袋本体２の開口端２ａに近い内面に開口部を開閉するように配置された雄ファスナー片９と雌ファスナー片１０とからなるファスナー装置３と、包装袋本体２の開口端２ａとファスナー装置３との間に配置された貫通傷痕を有する細幅粗面部４とから形成される。【選択図】図１
2008062946.tif 000002
【特許請求の範囲】
【請求項１】
ラミネートフィルム包材により形成された一端開口の包装袋本体と、この包装袋本体の開口端に近い内面に開口部を開閉するように配置された雄ファスナー片と雌ファスナー片とからなるファスナー装置と、前記包装袋本体の開口端と前記ファスナー装置との間に配置された貫通傷痕を有する細幅粗面部とを有することを特徴とする粉状食品用包装袋。
【請求項２】
包装袋本体は、両面部分と底部分とからなる自立形包装袋であることを特徴とする請求項１に記載の粉状食品用包装袋。
【請求項３】
ラミネートフィルム包材は、２軸延伸ポリエステルフィルムと直鎖状低密度ポリエチレンフィルムのラミネートフィルムであることを特徴とする請求項１に記載の粉状食品用包装袋。
【請求項４】
細幅粗面部における貫通傷痕は、その平均孔径が５０〜１００μｍであることを特徴とする請求項１に記載の粉状食品用包装袋。
【発明の詳細な説明】
【技術分野】
【０００１】
本発明は、小麦粉やそば粉のような粉状食品を充填包装するために用いられる粉状食品用包装袋に関する。
【背景技術】
【０００２】
一般に、粉状食品を充填包装する包装袋は、紙材とシールフィルムとを接合した包材により形成された上端開口のガセット形包装袋である。上記包装袋は、開口端から粉状食品が充填された後、開口端がヒートシール手段により閉じられることで、粉状食品の保管および搬送に供される粉状食品包装体を形成するものである。
【０００３】
上記粉状食品包装体は、ガセット形包装袋の内部に粉状食品が充填装置を用いて充填され、ガセット形包装袋の開口端がヒートシール手段により閉じられた場合に、ガセット形包装袋の上端開口部と充填された粉状食品との間にヘッドスペースが形成され、このヘッドスペースに空気が残留してしまう。
【０００４】
上記粉状食品包装体は、ガセット形包装袋のヘッドスペースに残る空気を機械的脱気手段により脱気し、その後に、ガセット形包装袋の上端開口部をヒートシール手段により閉じることで、ガセット形包装袋の上端ヒートシール部と充填された粉状食品との間のヘッドスペースに空気を残さないようにされている。
【０００５】
しかし、上記粉状食品包装体は、ガセット形包装袋のヘッドスペースに残る空気を機械的脱気手段によりガセット形包装袋の開口端から脱気し、開口端をヒートシール手段により閉じた場合、ガセット形包装袋のヘッドスペースに残る空気を完全に取り除くことが難しい。したがって、ガセット形包装袋に粉状食品を充填した粉状食品包装体を積み重ねて保管した場合、下側に位置する粉状食品包装体に大きな荷重が掛かるため、下側に位置する粉状食品包装体のヘッドスペースに残留する空気の圧力が上昇し、これにより、ガセット形包装袋が破損してしまうことがある。
【０００６】
包装体の保管時等における破袋を防ぐために、包装袋のヘッドスペースに対応する部位に脱気孔を設け、包装袋のヘッドスペースに残留する空気を完全に除去するようにした米穀類用包装袋が、たとえば、特開平１１−７９２００号公報に記載されている。
【０００７】
上記米穀類用包装袋は、通常のプラスチックフィルムの一端に脱気孔を設けたプラスチックフィルムを貼着したプラスチックフィルム包材を脱気孔を設けたプラスチックフィルムが上端側に位置するように重ね合わせ、重ね合わせたプラスチックフィルム包材の上端を除く側端および下端をヒートシール手段により互いに結合することで形成されている。
【特許文献１】特開平１１−７９２００号公報
【発明の開示】
【発明が解決しようとする課題】
【０００８】
上記形式の包装袋は、ヘッドスペースに残る空気を脱気孔を介して脱気することにより、ヘッドスペースに残留する空気の圧力上昇に伴う破袋を防ぐことはできるものの、保管している間に、包装袋の脱気孔を介してヘッドスペースに入り込む湿気が充填された内容物に直接接触するため、充填された内容物が湿気による影響を受け、内容物の品質を低下させてしまうという問題がある。
【０００９】
本発明は、従来技術の有する問題点を解消し、脱気孔を介してヘッドスペースに入り込む湿気による粉状食品の品質低下を防ぐようにした粉状食品用包装袋を提供することを目的とする。
【課題を解決するための手段】
【００１０】
本発明による粉状食品用包装袋は、ラミネートフィルム包材により形成された一端開口の包装袋本体と、この包装袋本体の開口端に近い内面に開口部を開閉するように配置された雄ファスナー片と雌ファスナー片とからなるファスナー装置と、包装袋本体の開口端とファスナー装置との間に配置された貫通傷痕を有する細幅粗面部とから構成される。
【発明の効果】
【００１１】
本発明によれば、包装袋に設けた細幅粗面部の貫通傷痕を介して包装袋のヘッドスペースに入り込む湿気は、雄ファスナー片と雌ファスナー片とからなるファスナー装置によりそのほとんどが阻止されるので、充填された粉状食品の湿気による品質低下を防ぐことができる。
【発明を実施するための最良の形態】
【００１２】
以下、本発明による粉状食品用包装袋の一実施形態について、添付の図面を参照しながら説明する。  
本発明による粉状食品用包装袋１は、図１および図２に示すように、上方開口の包装袋本体２と、この包装袋本体２の開口端２ａに近い内面に開口端２ａに平行に配置されたファスナー装置３と、包装袋本体２の開口端２ａとファスナー装置３との間に形成されるヘッドスペースに対応するように配置された細幅粗面部４とから構成されている。
【００１３】
上記包装袋本体２は、図１および図２に示すように、対向配置された面部分５，５と、底部分６との３部片から構成されている。包装袋本体２は、重ね合わせた面部分５，５の下端の間に２つ折りした底部分６を折り込み端６ａが上方に位置するように挿入し、面部分５，５の両側端をヒートシール手段により形成される側端ヒートシール部７，７によりて互いに結合し、面部分５，５の下端と底部分６の周端をヒートシール手段により形成される下端ヒートシール部８により互いに結合して構成される自立形包装袋である。
【００１４】
上記包装袋本体２は、面部分５，５と底部分６とが同じ２軸延伸ポリエステルフィルムと直鎖状低密度ポリエチレンフィルムのラミネートフィルム包材により形成されている。面部分５，５と底部分６は、２軸延伸ナイロンフィルム／アルミ蒸着ポリエチレンテレフタレートフィルム／直鎖状低密度ポリエチレン層のラミネートフィルム包材であってもよい。
【００１５】
上記包装袋本体２は、たとえば、小麦粉のような粉状食品を充填するためには、自立形包装袋であることが好ましいが、両面部分と両面部分の両側端に位置するガセット部分の４部片から構成されたガセット形包装袋であってもよい。
【００１６】
上記ファスナー装置３は、図２に示すように、プラスチック材料により成形された雄ファスナー片９と雌ファスナー片１０とから形成されている。ファスナー装置３の雄ファスナー片９と雌ファスナー片１０は、包装袋本体２の面部分５の一端から他端まで一連に延びるように配置されている。雄ファスナー片９と雌ファスナー片１０は、その両端部を側端ヒートシール部７，７により面部分５に結合され、側端ヒートシール部７，７の間に位置する残りの部分を各面部分５に熱接着されている。したがって、上記ファスナー装置３は、雄ファスナー片９と雌ファスナー片１０を互いに嵌合することで、包装袋本体２の開口部を完全に閉じることができる。
【００１７】
上記細幅粗面部４は、７ｍｍ幅の砥石円板をラミネートフィルム包材の２軸延伸ポリエステルフィルム側の面に圧接することで形成されている。細幅粗面部４は、２軸延伸ポリエステルフィルムのみに位置する傷痕と、２軸延伸ポリエステルフィルムと直鎖状低密度ポリエチレンフィルムを貫通する貫通傷痕とを有する。細幅粗面部４に形成された貫通傷痕は、包装袋の脱気孔として作用する。包装袋本体２に形成された細幅粗面部４の幅は、７ｍｍ程度であることが好ましいが、この幅に限定されるものではない。
【００１８】
上記細幅粗面部４は、特定品番の砥石円板をラミネートフィルム包材に圧接することにより形成した場合に、貫通傷痕の孔径が５０〜１００μｍであることが望ましい。上記細幅粗面部４は、砥石円板を紙やすりを巻き付けたロールに変更することで形成することができる。
【００１９】
上記細幅粗面部４は、１５０番の紙やすりを巻き付けたロールを圧接して形成した場合、貫通傷痕の孔径が２５〜１００μｍであり、平均孔径が５０μｍである。上記細幅粗面部４は、１００番の紙やすりを巻き付けたロールを圧接して形成した場合、貫通傷痕の孔径が５０〜１５０μｍであり、平均孔径が１００μｍである。上記細幅粗面部４は、８０番の紙やすりを巻き付けたロールを圧接して形成した場合、貫通傷痕の孔径が１００〜３００μｍであり、平均孔径が２００μｍである。
【００２０】
上記包装袋本体２は、粉状食品を充填して開口端を閉じることで包装体を構成するが、包装袋本体２に充填される粉状食品が小麦粉である場合、包装体に形成されるヘッドスペースの空気を効果的に脱気するとともに、包装袋本体２の細幅粗面部４に設けた貫通傷痕を介してヘッドスペースに入り込む湿気を抑えるためには、貫通傷痕の平均孔径が５０〜１００μｍであるのが好ましいことが実験によりわかった。
【００２１】
なお、図３において符号１１は包装袋１の開口端を封止するための上端ヒートシール部である。
【００２２】
しかして、本発明による包装袋１は、小麦粉を充填装置を用いて充填する場合、所定量の小麦粉を内部空間に充填し、開口端に近い部位に設けたファスナー装置３の雄ファスナー片９と雌ファスナー片１０の噛み合い部を閉じ、上端開口部と小麦粉との間に形成されるヘッドスペースに残る空気を機械的脱気手段により脱気し、その後、上端開口部をヒートシール手段により形成される上端ヒートシール部１１により閉じられることにより、小麦粉包装体を構成する。
【００２３】
本発明による包装袋１は、開口端２ａとファスナー装置３との間に形成された細幅粗面部４の貫通傷痕を開口端２ａの近くに形成されるヘッドスペースに連通させたことで、ヘッドスペースに残る空気を細幅粗面部４の貫通傷痕を介して完全に脱気することができる。
【００２４】
また、本発明による包装袋１は、内面の開口端２ａに近い位置に配置された雄ファスナー片９と雌ファスナー片１０とからなるファスナー装置により細幅粗面部４の貫通傷痕を介してヘッドスペースに入り込む湿気のほとんどが阻止されるので、充填された小麦粉の湿気による品質低下を防ぐことができる。
【００２５】
なお、上記実施の形態では、充填される粉状食品を小麦粉を例として説明したが、粉状食品は、そば粉やこめ粉であってもよいのはもちろんである。
【図面の簡単な説明】
【００２６】
【図１】本発明による粉状食品用包装袋の平面図である。
【図２】図１のＩＩ−ＩＩ線に沿った断面図である。
【図３】本発明による粉状食品用包装袋の使用状態を示す斜視図である。
【符号の説明】
【００２７】
１  粉状食品用包装袋
２  包装袋本体
３  ファスナー装置
４  細幅粗面部
９  雄ファスナー片
１０  雌ファスナー片
【図１】
2008062946.tif 000003
【図２】
2008062946.tif 000004
【図３】
2008062946.tif 000005